(57)【特許請求の範囲】
【請求項１】
遊技盤の前面に突出して配設され、前記遊技盤の盤面に沿って落下する遊技球の落下状態を変化させるための弾球遊技機の風車であって、
前記遊技盤に固設される支持台と、前記支持台に軸部材を介して回動可能に支持される羽根車とからなり、
前記羽根車は、前記軸部材を挿通させる貫通孔を有する軸筒部と、前記軸筒部から放射状に外方に延びる羽根部と、前記軸筒部の少なくとも一端面に設けられて前記羽根部の側縁を覆い羽根車の表裏を規定する飾り板部とを備え、
前記羽根車は前記支持台に表向き、および裏向きのいずれの姿勢でも取付可能であることを特徴とする弾球遊技機の風車。
【請求項２】
前記飾り板部は表面側と裏面側とに異なる意匠が施されていることを特徴とする請求項１に記載の弾球遊技機の風車。
【請求項３】
前記羽根部は前記軸筒部から外方に延びる羽根高さが、前記羽根車の表裏方向位置に応じて異なることを特徴とする請求項１または請求項２に記載の弾球遊技機の風車。
【請求項４】
前記軸部材は外周面で前記貫通孔の内周面と当接し前記羽根車を回動自在に支持する軸部と、前記軸部の一端に形成されて前記軸部よりも大きな径の頭部とを有し、
前記貫通孔は前記軸部を緩挿させる支持孔部と、この支持孔部の表裏端部に形成されて前記頭部の径よりも大きな径のザグリ状の段付孔部とを有することを特徴とする請求項１から請求項３のいずれか一項に記載の弾球遊技機の風車。
【発明の詳細な説明】
【０００１】
【発明の属する技術分野】
本発明はパチンコ機やアレンジボール機等の弾球遊技機の遊技盤に配設されて遊技盤の盤面に沿って落下する遊技球の落下方向や落下速度を変化させる風車に関する。
【０００２】
【従来の技術】
上記のような弾球遊技機、例えばパチンコ機では、開閉搭載枠をなす前枠に、ガラス扉（ガラス窓ともいう）、上下の球皿、球送り・打球発射装置、そして球貯留・排出処理部を有する裏機構盤等の遊技構成部材がそれぞれ常備され、前枠裏側の収容枠に遊技盤が着脱交換可能にセット保持されている。遊技盤には所要のゲージ設定に基づいて入賞口や風車等の各種遊技部品と多数本の遊技釘とが配置されて遊技領域が構成され、遊技面を前面として収容枠内に着脱可能にセット保持されている。遊技盤面に配設される遊技釘と風車とは、ともに打球発射装置から遊技領域に発射された遊技球の跳ね返り方向を様々に変化させ、遊技球の動きにランダム性をもたせることで遊技を複雑化しゲーム性を増進させる目的で設けられている。
【０００３】
ここで、遊技釘はその反発性を利用し、遊技釘に衝突した遊技球を跳ね返して遊技球の落下移動方向を変化させたり、所定方向に案内したりするようになっているが、遊技盤の盤面に固設されるものであり、一定の規則性を有して遊技球の移動方向を変化させたり、案内したりする機能を有している。一方、風車は遊技盤の前面に回転自在に配設された羽根車を有して構成され、落下する遊技球が羽根車に衝突したときに羽根車が回転して遊技球の移動方向や移動速度を変化させるように構成されている。このため、遊技球が衝突する羽根車の位置や、羽根車の回転状態に応じて遊技球の移動方向がランダムに変化し、遊技球の落下方向を不規則にもしくはランダムに変化させることができるようになっている。パチンコ機等の弾球遊技機においては、遊技釘と風車とを組み合わせて配設し、遊技球の落下方向およびパターンに多様性を持たせるとともに、風車の多様な回転運動により視覚的にも遊技を楽しめるように工夫されている。
【０００４】
【発明が解決しようとする課題】
ところで、弾球遊技機では遊技盤が観者に与えるイメージが大切であり、遊技盤は盤全体として一つのデザインコンセプトのもと、一定のイメージをもってデザインされている。盤面に配設されて視覚的効果を高めるランプ風車についても同様であり、既存のランプ風車が遊技盤全体のイメージと合致しない場合には、少なくとも羽根車を新たに製作する必要があった。また、当該新たなデザインコンセプトの遊技盤においてデザインや遊技球を弾く方向性が異なる複数種のランプ風車を設けようとする場合には、各風車ごとにそれぞれ羽根車を新たに製作する必要があった。
【０００５】
ところが、ランプ風車の羽根車は、一般に合成樹脂材料を用いた射出成形によって製作されるため、新たな羽根車を製作するにはそれに先だって新規な成形型を準備する必要があり、その型設計や製作に多大な工数や費用が発生するという問題があった。また、このようにして遊技盤ごとに製作される風車の種類が増大して多品種におよぶと、型の管理や生産管理、部品の在庫管理等に多くの工数が必要になり、生産コストを上昇させる一因になるという問題があった。
【０００６】
本発明は、上記のような課題に鑑みて成されたものであり、一つの羽根車で多数のバリエーション風車を構成できる弾球遊技機の風車を提供することを目的とし、もって弾球遊技機の生産コストの低減に寄与することを目的とする。
【０００７】
【課題を解決するための手段】
上記目的達成のため、本発明は、遊技盤の前面に突出して配設されて遊技盤の盤面に沿って落下する遊技球の落下状態を変化させるための弾球遊技機の風車であって、遊技盤に固設される支持台と、この支持台に軸部材を介して回動可能に支持される羽根車とから構成される。羽根車は、軸部材を挿通させる貫通孔を有する軸筒部と、軸筒部から放射状に外方に延びる羽根部と、軸筒部の少なくとも一端面に設けられて羽根部の側縁を覆い羽根車の表裏を規定する飾り板部とを備えており、羽根車が支持台に表向きおよび裏向きのいずれの姿勢でも取付可能に構成されて弾球遊技機の風車が構成されている。このような風車では、遊技盤に固設される支持台に対して回動自在に支持される羽根車が表裏いずれの姿勢でも取付可能に構成されているため、一つの成形型を用いて羽根車の表裏取付が異なる二種類の風車を実現することができる。
【０００８】
なお、羽根車の飾り板部は表面側と裏面側とに異なる意匠が施されていることが好ましい。羽根車の飾り板部は軸筒部の少なくとも一端面に設けられて表裏を規定しており、例えば飾り板部が羽根車の表面側のみに設けられている場合に、その表面側または裏面側のみに飾りシールを貼り付けて他面側に飾りシールを貼り付けない構成や、両面に異なる飾りシールを貼り付ける構成、さらには飾り板部が設けられていない裏面側の羽根部の端面にシールを貼り付ける構成などが挙げられる。また、羽根車の表裏両面に異なる径の飾り板部を有する羽根車では、それぞれの飾り板部の表裏面に上記のような異なる意匠を施すことにより、一つの成形型を用いた羽根車で多くの異なる意匠を有した風車を実現することができる。
【０００９】
また、羽根部は軸筒部から外方に延びる羽根高さが、羽根車の表裏方向位置に応じて異なるように風車を構成することも好ましい。例えば、羽根車の表面側から裏面側に向けて羽根部の高さが低くなるような三角形ないし台形のフィン状の羽根部を有する構成とすれば、羽根車の表裏は単に意匠上の差異のみならず、遊技球の移動軌跡を変化させるという風車の機能上の差異をもたせることができる。従って、一つの成形型を用いた羽根車で異なる機能を有した風車を実現することができる。そして、上記意匠が異なる羽根車と組み合わせることにより、一つの成形型を用いた羽根車でありながら極めて多くのバージョンの風車を実現することができる。
【００１０】
なお、上記各風車における軸部材は外周面で貫通孔の内周面と当接し羽根車を回動自在に支持する軸部と、軸部の一端に形成されて軸部よりも大きな径の頭部とを有し、貫通孔は軸部を緩挿させる支持孔部とこの支持孔部の表裏端部に形成されて頭部の径よりも大きな径のザグリ状の段付孔部とを有するように弾球遊技機の風車を構成することが望ましい。このような構成によれば、羽根車は支持孔部において軸部にラジアル方向に回動自在に支持されるとともに、段付孔部において頭部にスラスト方向に移動規制されて支持される。そして段付孔部は羽根車の貫通孔の表裏両端に設けられているため、羽根車を表裏同様にして取り付けることができる。また、段付孔部の深さを同一とすることにより、羽根車の取り付け姿勢ごとに軸部材または支持台を変更する必要がなく、同一の支持台に対して同一の軸部材を用いて表裏の取付可能である。従って、支持台等の他の構成部材を変更することなく羽根車の取付方向のみを変更することで多数のバージョンの風車を提供することができる。また、軸部材の頭部が段付孔部内に配設されるため、この段付孔部の上面を覆う飾りシールを粘付することにより頭部および段付孔部をカバーして意匠効果を高めることができる。
【００１１】
【発明の実施の形態】
以下、図面を参照して本発明の好ましい実施形態について説明する。まず、本発明に係る風車を有して構成される弾球遊技機の一例としてパチンコ遊技機を採り上げ、その構成について図３および図４を参照して簡単に説明する。ここに示すパチンコ遊技機ＰＭは、所定の外郭方形枠サイズに構成された固定保持用の外枠１の前側に、これに合わせた方形枠サイズに構成された開閉搭載用の前枠２が、正面左側上下部に配設された開閉ヒンジ３ａ，３ｂ及び正面右側内部に配設された施錠装置４を利用して横開き開閉可能に組付けられており、常には図示する閉鎖状態に保持される。
【００１２】
前枠２の前側面域には、この領域サイズに合わせた方形枠サイズのガラス扉（ガラス窓ともいう）５が図３における左側縁をヒンジ結合されて前枠２に対して横開き開閉自在に設けられ、その下部に上下の球皿７ａ，７ｂ及び打球発射装置８等が装備されている。前枠２の裏側には方形枠サイズの収容枠が前枠２と一体に形成されており、この収容枠にパチンコゲームを展開し得る遊技盤９が水平姿勢・位置の縦向きで着脱交換可能にセット保持されて前面の遊技領域をガラス扉５の正面に臨ませている。
【００１３】
このようなパチンコ機ＰＭにおいて、上球皿７ａに投入した遊技球を打球発射装置８により発射して、円弧状の発射レール１１を通って遊技盤９の遊技領域ＰＡ内に打ち出すことができるようになっている。
【００１４】
遊技領域ＰＡを図４に詳しく示しており、複数の風車５０，５０′、電動チューリップ構成を有した始動口２１、大入賞口２２、小入賞口２３ａ，２３ｂ，２４ａ，２４ｂ、アウト口２５等が図示のように配設され、遊技盤９の中央部に飾り部３１を上側に戴いた図柄表示部３０が設けられている。なお、図を見やすくするため図４には図示していないが、遊技盤９上の遊技領域ＰＡには、多数の遊技釘が所定のゲージ設定でで設けられており、これら遊技釘により遊技領域ＰＡ内に打ち出された遊技球の移動方向を変化させるガイドを行うようになっている。また風車５０，５０′も遊技球の落下移動方向をランダムに変更し、遊技球の落下パターンをより大きく変化させるようになっている。
【００１５】
風車５０の第１設定形態（５０Ａ）における正面図および側面図を図１(a),(b)に示し、第２設定形態（５０Ｂ）における正面図および側面図を図２(a),(b)に示し、さらに第１設定形態における分解斜視図を図５に示している。例示する風車５０はいわゆるランプ風車と呼ばれる風車であり、遊技盤９に固設される支持台５１と、支持台５１から前方に突出して取り付けられる軸部材４０と、この軸部材４０に回転自在に支持される羽根車６０と、支持台５１の後端面に取り付けられたランプ基板４５とから構成される。
【００１６】
ランプ基板４５の前面側には一対のソケット４６が取り付けられており、各ソケット４６にランプ４７が取り付けられている。各ソケット４６にランプ基板４５上の配線を介して繋がるコネクタ４８がランプ基板４５の後面に配設されており、このコネクタ４８を介して供給される電力により各ランプ４７が点灯され、風車５０を後面側から照明する。
【００１７】
支持台５１は、左右側方に突出する取り付け部５３を有した平板状のフランジ部５２と、フランジ部５２の後面から後方に突出する後方突出部５５とを有し、透明または不透明の樹脂材料を用いて射出成形等の成形手段で図示する所定形状に形成する。後方突出部５５の後端面には上記ランプ基板４５が取り付けられる後端面が形成されこの後端面に設けられた突起部とネジ穴とでランプ基板４５が固定される。また、後方突出部５５の中央を前後に貫通して軸部材４０を取り付けるための軸支持孔５６が設けられている。
【００１８】
羽根車６０は、例えばランプ４７の照明光を通す透明もしくは半透明の樹脂材料を用いて支持台５１と同様の成形手段で形成される。羽根車６０は、第１設定形態において前面側に位置する円盤状の飾り板部６１と、飾り板部６１の中心部から後方に延びる軸筒部６３と、飾り板部６１の後面に繋がるとともに軸筒部６３から外周方向に放射状に延びた三枚の羽根部６２とから構成される。軸筒部６３には、その軸心を前後に貫通し軸部材４０を挿通させる貫通孔６４が形成されている。
【００１９】
このように、羽根車６０には羽根部６２を挟んで前後に方向性があり、飾り板部６１が形成された側を本明細書では便宜的に表面側といい、飾り板部６１が形成されていない面側を裏面側という。また、羽根車６０の表面側（飾り板部６１側）が前面に向く取付姿勢の設定形態を便宜的に第１設定形態（風車５０Ａ）といい、逆に羽根車６０の裏面側が前面に向く取付姿勢の設定形態を第２設定形態（風車５０Ｂ）という。
【００２０】
軸部材４０は貫通孔６４の内周面と当接して羽根車６０を回動自在に支持する軸部４１と、軸部の一端に形成されて軸部４１よりも大きな径の頭部４２とを有し、軸部４１の他端側には止め輪（Ｅリング）４３を係止するリング溝４１ａが形成されている。
【００２１】
一方、この軸部材４１が挿通される貫通孔６４は、図１(a)中にVI-VI矢を付して示す断面図を図６示すように、軸部４１を緩挿させる軸受部たる支持孔部６４ａと、この支持孔部６４ａの表裏端部に設けられて軸部材の頭部４２の径よりも大径でかつ同一深さのザグリ状の段付孔部６４ｂとが形成されている。すなわち、この貫通孔６４は羽根車の表裏方向に対称に形成されており、この貫通孔６４に関するかぎり表裏関係が存在しない。このため、羽根車６０は表面側を前面に向けて取り付けた第１設定形態、および裏面側を前面に向けて取り付けた第２設定形態のいずれの姿勢でも設定可能な、いわばリバーシブル構成となっている。
【００２２】
羽根車６０を取り付ける際には、例えば第１設定形態においては図５に示すように、羽根車の表面側（飾り板部６１側）から軸部材４０の軸部４１を貫通孔６４内に挿入して羽根車６０を挿通させ、さらに、羽根車裏面側から突出する軸部４１を支持台５１の軸支持孔５６内に挿入して後方突出部５５の後端面から突出させる。そして後端面から突出した軸端部のリング溝４１ａにＥリング４３を係止させてこの軸部材４０を係止保持させる。
【００２３】
このとき、羽根車６０は支持孔部６４ａで軸部４１にラジアル方向に支持されるとともに、頭部４２が段付孔部６４ｂ内でスラスト方向に移動規制され、これにより羽根車６０は支持台５１に回動自在に取り付けられる。取付後には飾り板部６１の表面に図１(a)でハッチングを付して示すように飾りシール７０を貼り付けることで、段付孔部６４ｂや頭部４２を覆い、これ等の構造を目立たなくすることができる。
【００２４】
また、羽根車６０の表裏を逆にして羽根車の裏面側（飾り板部６１が無い側）から貫通孔６４に軸部４１を挿通させ、以下上記同様に軸部材を取り付けることにより、羽根車６０の裏面側を前面に向けて取り付けることができ、風車５０を第２設定形態に設定することができる。そして、取付後に図２(a)でハッチングを付して示すように軸筒部６３の端面に飾りシール７５を貼り付けることで、段付孔部６４ｂや頭部４２を覆い、これ等の構造を目立たなくすることができる。
【００２５】
上記のように構成された風車５０（５０Ａ，５０Ｂ）は、遊技盤９に形成された風車取り付け穴９ａに図１(b)または図２(b)に示すように後方突出部５５を挿入してフランジ部５２を遊技盤９の前面に当接させ、この状態でフランジ部５２の左右取り付け部５３に形成された取り付け孔５３ａを介してビス止めされて遊技盤９に取り付けられる。このように取り付けられると、羽根車６０が遊技盤９の前面側におけるガラス扉５との間の遊技領域ＰＡ内に突出して位置し、目視上全く異なる風車として認識される。
【００２６】
第１設定形態の風車５０Ａでは、前面に飾り板部６１が位置し羽根部６２が直視的に見えない反面、大きく貼られた飾りシール７０が目を引く構成であり、ランプ４７が点滅したときには飾りシール７０の奥からその周囲に光が広がる風車となる。一方、第２設定の風車５０Ｂでは、前面から羽根部６２が直接見えるため羽根車の回転がダイナミックに把握される構成であり、ランプ４７が点滅したときには羽根車全体が光る風車となる。
【００２７】
従って、以上のような簡明な構成によって、同一の支持台５１、軸部材４０、ランプ基板４５および羽根車６０を用いて、羽根車６０の組み立て方向を変えるのみで全く意匠が異なる二種類の風車５０Ａ，５０Ｂを構成することができる。
【００２８】
次に、本発明の第２の実施形態に係る風車１５０の第１設定形態（１５０Ａ）における正面図と側面図とを図７(a),(b)に示し、第２設定形態（１５０Ｂ）における正面図と側面図とを図８(a),(b)に示しており、以下これ等両図を参照して概説する。風車１５０は、遊技盤９に固設される支持台５１と、支持台５１から前方に突出して取り付けられる軸部材４０と、この軸部材４０に回転自在に支持される羽根車１６０と、支持台５１の後端面に取り付けられたランプ基板４５とから構成される。すなわち、風車１５０の構成部材は羽根車１６０を除き前述の風車５０と共通であり、同様のランプ風車を構成する。そこで、以下では共通部材について図中に同一番号を付し重複説明を省略する。
【００２９】
羽根車１６０は、ランプ４７の照明光を通す透明もしくは半透明の樹脂材料を用いて形成されており、第１設定形態において前面側に位置する円盤状の飾り板部１６１と、飾り板部１６１の中心部から後方に延びる軸筒部１６３と、飾り板部１６１の後面に繋がるとともに軸筒部１６３から外周方向に放射状に延びた三枚の羽根部１６２とから構成される。軸筒部１６３には、その軸心を前後に貫通し軸部材４０を挿通させる貫通孔６４が形成されている。
【００３０】
羽根部１６２は、図示するように軸筒部１６３から外方に延びる羽根高さが、羽根車の表面側（飾り板１６１側）から裏面側に向けて低くなるような、具体的には表面側で飾り板１６１の外径と同一程度の羽根高さが裏面側で軸筒部の外径と同一程度の羽根高さになるように連続的に変化する三角形のフィン状に形成されている。
【００３１】
このため、羽根車１６０には表裏に方向性があり、その羽根部１６２の外側縁が遊技盤９の盤面に対して異なった方向性を有している。そこで、前記同様に飾り板部１６１が形成された側を便宜的に表面側といい、反対側を裏面側という。また、羽根車１６０の表面側が前面に向く取付姿勢の設定形態を第１設定形態（風車１５０Ａ）といい、逆に裏面側が前面に向く取付姿勢の設定形態を第２設定形態（風車１５０Ｂ）という。
【００３２】
軸部材４１が挿通される貫通孔６４は、図７中にIX-IX矢を付して示す方向の断面図を図９に示すように、前述した貫通孔６４（図６参照）と同様に形成されている。すなわち、軸部４１を緩挿させる軸受部たる支持孔部６４ａと、この支持孔部６４ａの表裏端部に設けられて軸部材４０の頭部４２の径よりも大径でかつ同一深さのザグリ状の段付孔部６４ｂとが形成されており、羽根車１６０の表裏方向に対称に形成されている。このため、羽根車１６０は表面側を前面に向けて取り付けた第１設定形態、および裏面側を前面に向けて取り付けた第２設定形態のいずれの姿勢でも設定可能なリバーシブル構成となっている。
【００３３】
このため、羽根車１６０を支持第５１に取り付ける際に軸部材４０を表面側（飾り板１６１側）から挿入して取り付けるか、または裏面側から挿入して取り付けるかによって、風車を第１設定形態の風車１５０Ａまたは第２設定形態の風車１５０Ｂのいずれにも設定することができる。
【００３４】
そして、上記のように構成された風車１５０（１５０Ａ，１５０Ｂ）を、遊技盤９に形成された風車取り付け穴９ａに、図７(b)または図８(b)に示すように後方突出部５５を挿入してフランジ部５２を遊技盤９の前面に当接させ、この状態でフランジ部５２の左右取り付け部５３に形成された取り付け孔５３ａを介してビス止めして遊技盤９に取り付ける。このように取り付けられると、羽根車１６０が遊技盤９の前面側におけるガラス扉５との間の遊技領域ＰＡ内に突出して位置し、目視上も機能上も全く異なる風車として作用する。
【００３５】
まず、目視上の作用として、第１設定形態の風車１５０Ａでは、前面に飾り板部１６１が位置し羽根部１６２が直視的に見えない反面、大きく貼られた飾りシール７０が目を引く構成であり、ランプ４７が点滅したときには飾りシール７０の奥からその周囲に光が広がる風車となる。一方、第２設定の風車１５０Ｂでは、前面から羽根部１６２が直接見えるため羽根車の回転がダイナミックに把握される構成であり、ランプ４７が点滅したときには羽根車全体が光る風車となる。
【００３６】
また、機能上の作用として、第１設定の風車１５０Ａでは、羽根部１６２の外側縁が遊技盤９の盤面方向に傾斜した構成となるため、落下する遊技球ＰＢは風車１５０Ａに当接したときに、図７(b)中に矢印を付すように盤面方向に弾かれて流される傾向をもつ。一方、第２設定の風車１５０Ｂでは、羽根部１６２の外側縁がガラス扉５の方向に傾斜した構成となるため、落下する遊技球ＰＢは風車１５０Ｂに当接したときに、図８(b)中に矢印を付すように盤面から離れる方向に弾かれて流される傾向をもつ。
【００３７】
従って、以上のような簡明な構成によって、同一の支持台５１、軸部材４０、ランプ基板４５および羽根車１６０を用いて、羽根車１６０の組み立て方向を変えるのみで全く意匠および機能が異なる二種類の風車１５０Ａ，１５０Ｂを構成することができる。
【００３８】
そして、以上のようにして構成される風車を用いることにより、ローコストで多種類の風車を構成することができるとともに、このような風車を用いて多くのバージョンのパチンコ機を構成することができる。例えば、図４に示した遊技盤９において、風車５０として第１設定形態の風車５０Ａ（１５０Ａ）を用いるバージョンや、第２設定形態の風車５０Ｂ（１５０Ｂ）を用いるバージョン、さらに風車５０’として第１設定形態または第２設定形態の風車を用いるバージョンなどを組み合わせることで多数バージョンのパチンコ機ＰＭを極めてローコストに提供することができる。
【００３９】
なお、以上では羽根車６０，１６０の片面に飾り板部６１，１６１を設け、他面に飾り板部を設けない構成を例示したが、飾り板部を両面に設ける構成であっても良く、その飾り板部の外径が異なるものであっても良い。また、飾り板部は円盤状の板である必要はなく（例えば三角形状や花びら形状等であっても良く）、部分的に抜きを設けた構成であっても良い。さらに、実施例ではランプ４７を有するランプ風車を例示したが、ランプを有しない構成であっても良い。
【００４０】
【発明の効果】
以上説明したように、本発明では、遊技盤に固設される支持台と、この支持台に軸部材を介して回動可能に支持される羽根車とからなる弾球遊技機用の風車において、羽根車を支持台に表向きおよび裏向きのいずれの姿勢でも取付可能に構成して弾球遊技機の風車を構成する。このため、一つの成形型を用いて形成された一つの羽根車の取り付け方向を変更することで、意匠や機能が異なる多数のバリエーション風車をローコストで提供することができ、これにより弾球遊技機の生産コストを低減させることができる。
【図面の簡単な説明】
【図１】本発明に係る風車の第１の好ましい実施形態を示す図面であり、この風車の第１設定形態における正面図(a)、および側面図(b)である。
【図２】本発明に係る風車の第１の好ましい実施形態を示す図面であり、この風車の第２設定形態における正面図(a)、および側面図(b)である。
【図３】本発明に係る風車が適用される弾球遊技機の一例として示すパチンコ機の斜視図である。
【図４】上記パチンコ機の遊技盤を示す正面図である。
【図５】上記第１設定形態における風車を分解して示す分解斜視図である。
【図６】図１中にVI-VI矢を付して示す方向の羽根車の断面図である。
【図７】本発明に係る風車の第２の好ましい実施形態を示す図面であり、この風車の第１設定形態における正面図(a)、および側面図(b)である。
【図８】本発明に係る風車の第２の好ましい実施形態を示す図面であり、この風車の第２設定形態における正面図(a)、および側面図(b)である。
【図９】図７中にIX-IX矢を付して示す方向の羽根車の断面図である。
【符号の説明】
ＰＭ  パチンコ機（弾球遊技機）
９  遊技盤
４０  軸部材
４１  軸部
４２  頭部
５０（５０Ａ，５０Ｂ）  風車
５１  支持台
６０  羽根車
６１  飾り板部
６２  羽根部
６３  軸筒部
６４  貫通孔
６４ａ  支持孔部
６４ｂ  段付孔部
１５０（１５０Ａ，１５０Ｂ）  風車
１６０  羽根車
１６１  飾り板部
１６２  羽根部
１６３  軸筒部
【図１】
0004627599.tif 000002
【図２】
0004627599.tif 000003
【図３】
0004627599.tif 000004
【図４】
0004627599.tif 000005
【図５】
0004627599.tif 000006
【図６】
0004627599.tif 000007
【図７】
0004627599.tif 000008
【図８】
0004627599.tif 000009
【図９】
0004627599.tif 000010